(57)【要約】      （修正有）【課題】簡単かつ確実に接続して使用でき、見栄えが良く、しかも、持ち運び易く、保管にも適したバッテリセットを提供する。【解決手段】バッテリ本体１と、バッテリ本体１が収納される収納ボックス２と、外部装置３，４とを備えたバッテリセットであって、バッテリ本体１は、バッテリ端子に第１のコネクタ部５１が設けられ、収納ボックス２は、内側から外側に貫通する通電端子を備え、内側において通電端子に第２のコネクタ部５２が設けられるとともに、外側において通電端子に第３のコネクタ部５３が設けられ、外部装置３，４は、第４のコネクタ部が設けられ、バッテリ本体１と収納ボックス２は、第１のコネクタ部５１と第２のコネクタ部５２が嵌合することにより電気的に接続され、収納ボックス２と外部装置３，４は、第３のコネクタ部５３と第４のコネクタ５４ａ，ｂが嵌合することにより電気的に接続される。【選択図】図４
0003193008.tif 000002
【実用新案登録請求の範囲】
【請求項１】
バッテリ端子を備えたバッテリ本体と、前記バッテリ本体が収納される収納ボックスと、前記収納ボックスの外部に設けられる外部装置とを備えたバッテリセットであって、
前記バッテリ本体は、前記バッテリ端子に第１のコネクタ部が設けられ、
前記収納ボックスは、内側から外側に貫通する通電端子を備え、内側において前記通電端子に第２のコネクタ部が設けられるとともに、外側において前記通電端子に第３のコネクタ部が設けられ、
前記外部装置は、第４のコネクタ部が設けられ、
前記バッテリ本体と前記収納ボックスは、前記第１のコネクタ部と前記第２のコネクタ部が嵌合することにより電気的に接続され、
前記収納ボックスと前記外部装置は、前記第３のコネクタ部と前記第４のコネクタが嵌合することにより電気的に接続されることを特徴とするバッテリセット。
【請求項２】
前記収納ボックスは、上部が開口したボックス本体と、前記ボックス本体の上部を閉塞する蓋体を備え、前記蓋体に前記通電端子が設けられている請求項１に記載のバッテリセット。
【請求項３】
前記収納ボックスは、前記バッテリ本体のバッテリ残量を計測するバッテリ残量計測手段と、前記バッテリ残量計測手段により計測されたバッテリ残量を表示するバッテリ残量表示部を備えた請求項１または請求項２に記載のバッテリセット。
【請求項４】
前記第１のコネクタ部と前記第２のコネクタ部は、正極端子同士および負極端子同士が電気的に接続する方向でのみ嵌合する形状に形成され、
前記第３のコネクタ部と前記第４のコネクタ部は、正極端子同士および負極端子同士が電気的に接続する方向でのみ嵌合する形状に形成された請求項１から請求項３までのいずれかに記載のバッテリセット。
【請求項５】
前記収納ボックスは、前記通電端子に電気的に接続されたシガーソケットを備え、前記シガーソケットは外側に開口する態様で設けられた請求項１から請求項４までのいずれかに記載のバッテリセット。
【請求項６】
前記収納ボックスは、前記バッテリ本体、前記外部装置、前記第１のコネクタ部、前記第２のコネクタ部、前記第３のコネクタ部および前記第４のコネクタ部を収容する請求項１から請求項５までのいずれかに記載のバッテリセット。
【考案の詳細な説明】
【技術分野】
【０００１】
本考案は、レジャーや災害などにおいて野外で使用される持ち運び可能なバッテリセットに関するものである。
【背景技術】
【０００２】
最近、レジャーとしてキャンプに出かけることがブームになっている。キャンプ地には、調理用の機材や照明用の機材が持ち込まれるたけでなく、最近ではノートパソコンやスマートフォン、タブレットなどの携帯情報端末も持ち込まれている。通信技術の向上によりスマートフォンの通話エリアが拡大し、山間部でも通話可能となりつつあることも上記実情に拍車をかけている。
【０００３】
このような機材・端末をキャンプ地に持ち込む場合、キャンプ地で機材を作動させるためのバッテリや、端末を充電するためのバッテリが必要となる。
【０００４】
従来、このようなバッテリは、バッテリを利用する機材・端末の所有者により、複数のケーブル、充電装置およびインバータと別々な状態でキャンプ地に持ち込まれていた。
【考案の概要】
【考案が解決しようとする課題】
【０００５】
しかしながら、これでは、バッテリとケーブルの接続が煩雑なため、接続にある程度の知識や技能を要していた。このため、誰もが確実にバッテリを簡単に使用できるわけではないという問題があった。
【０００６】
また、バッテリを利用する際、バッテリに対してケーブルが散らばった状態になり、見栄えが悪くなる問題や、配線の把握が困難となるという問題もあった。
【０００７】
さらに、キャンプ地を移動する際、バッテリ、ケーブル、充電装置およびインバータを持ち運ぶ必要があり、面倒であった。また、バッテリに対応するケーブルが多数になるため、一部のケーブルを運び忘れる虞もあった。
【０００８】
なお、このような問題は、キャンプなどのレジャーのみならず、災害の現場においても同様に生じるものであった。
【０００９】
本考案は、上述の問題に鑑みてなされたものであり、第１に、誰でも簡単かつ確実に使用でき、第２に、外観の意匠性が高く、第３に、持ち運び易く、保管にも適したバッテリセットを提供することを目的とする。
【課題を解決するための手段】
【００１０】
本考案は、上記目的を達成するために、バッテリ端子を備えたバッテリ本体と、前記バッテリ本体が収納される収納ボックスと、前記収納ボックスの外部に設けられる外部装置とを備えたバッテリセットであって、前記バッテリ本体は、前記バッテリ端子に第１のコネクタ部が設けられ、前記収納ボックスは、内側から外側に貫通する通電端子を備え、内側において前記通電端子に第２のコネクタ部が設けられるとともに、外側において前記通電端子に第３のコネクタ部が設けられ、前記外部装置は、第４のコネクタ部が設けられ、前記バッテリ本体と前記収納ボックスは、前記第１のコネクタ部と前記第２のコネクタ部が嵌合することにより電気的に接続され、前記収納ボックスと前記外部装置は、前記第３のコネクタ部と前記第４のコネクタが嵌合することにより電気的に接続されることを特徴とする。
【００１１】
これによれば、前記バッテリ本体と前記収納ボックスは、前記第１のコネクタ部と前記第２のコネクタ部が嵌合することで電気的に接続され、前記収納ボックスと前記外部装置は、前記第３のコネクタ部と前記第４のコネクタ部が嵌合することで電気的に接続されるため、バッテリーを簡単かつ確実に使用できる。また、コネクタ部が、一のラインを形成したまとまった状態となるため、外観の意匠性が高くなる。
【００１２】
また、前記収納ボックスは、上部が開口したボックス本体と、前記ボックス本体の上部を閉塞する蓋体を備え、前記蓋体が、前記通電端子を備えるのが好ましい。これによれば、蓋体が、収納ボックスから分離できるため、蓋体の第２のコネクタ部とバッテリ本体の第１のコネクタ部を容易に嵌合することができる。
【００１３】
また、前記収納ボックスは、前記バッテリ本体のバッテリ残量を計測するバッテリ残量計測手段と、前記バッテリ残量計測手段により計測されたバッテリ残量を表示するバッテリ残量表示部を備えるのが好ましい。これによれば、ユーザは、バッテリ残量表示部を確認することによりバッテリ残量を把握することができ、電力の管理が容易となる。
【００１４】
また、前記第１のコネクタ部と前記第２のコネクタ部は、正極端子同士および負極端子同士が電気的に接続する方向でのみ嵌合する形状に形成され、前記第３のコネクタ部と前記第４のコネクタ部は、正極端子同士および負極端子同士が電気的に接続する方向でのみ嵌合する形状に形成されるのが好ましい。これによれば、ユーザは、簡単かつ確実に正極端子同士および負極端子同士が接続することができる。その上、誤って正極端子と負極端子を接続する虞がなくなり、バッテリを安全に使用することができる。
【００１５】
また、前記収納ボックスは、前記通電端子に電気的に接続されたシガーソケットを備え、前記シガーソケットは外側に開口する態様で設けられるのが好ましい。これによれば、収納ボックスに外側からシガーソケットと対応するプラグを接続することができる。
【００１６】
また、前記収納ボックスは、前記バッテリ本体、前記外部装置、前記第１のコネクタ部、前記第２のコネクタ部、前記第３のコネクタ部および前記第４のコネクタ部を収容するのが好ましい。これによれば、収納ボックスが前記バッテリ本体、前記外部装置、前記第１のコネクタ部、前記第２のコネクタ部、前記第３のコネクタ部および前記第４のコネクタ部を収容することにより、バッテリセットは、コンパクトに収納され、持ち運び易く保管が容易である。
【考案の効果】
【００１７】
本考案によれば、バッテリセットは、第１のコネクタ部と第２のコネクタ部が嵌合し、第３のコネクタ部と第４のコネクタ部が嵌合することにより、バッテリを簡単かつ確実に使用することができる。
【００１８】
また、コネクタ部が、一のラインを形成したまとまった状態となるため、外観の意匠性が高い。
【００１９】
さらに、収納ボックスが前記バッテリ本体、外部装置、第１のコネクタ部、第２のコネクタ部、第３のコネクタ部および第４のコネクタ部を収容することにより、バッテリセットは、コンパクトに収納され、持ち運び易く保管が容易である。
【図面の簡単な説明】
【００２０】
【図１】バッテリセットの外観を示す斜視図である。
【図２】収納ボックスの一部縦断面図である。
【図３】図２の収納ボックスのIII−III線矢視断面図である。
【図４】使用時のバッテリセットの概略構成図である。
【図５】バッテリセットの電気的構成を示すブロック図である。
【考案を実施するための形態】
【００２１】
次に、本考案に係るバッテリセットの一の実施形態について図１〜図５を参照しつつ説明する。まず、バッテリセット１００の構成について説明する。
【００２２】
バッテリセット１００は、バッテリ本体１と、バッテリ本体１が収納される収納ボックス２と、使用時に収納ボックス２の外部に設けられる外部装置としてのインバータ３および充電器４を備えている。また、バッテリセット１００は、第１のコネクタ部５１、第２のコネクタ部５２、第３のコネクタ部５３、第４のコネクタ部５４ａ，５４ｂおよび充電器用ＡＣケーブル６を備えている。
【００２３】
バッテリセット１００は、保管や輸送、移送の未使用時では、収納ボックス２の内部に、バッテリ本体１、インバータ３、充電器４、第１のコネクタ部５１、第２のコネクタ部５２、第３のコネクタ部５３、第４のコネクタ部５４ａ，５４ｂおよび充電器用ＡＣケーブル６が収容され、収容された状態では図１に示す外観を呈する。
【００２４】
前記バッテリ本体１は、メンテナンスフリーの制御弁式鉛蓄電池であって、幅方向に長い略直方体形状をしており、図２に示すように、上面の幅方向両端部にそれぞれ正極バッテリ端子１１と負極バッテリ端子１２を備えている。
【００２５】
また、前記バッテリ本体１は、正極バッテリ端子１１と負極バッテリ端子１２に、第１のコネクタ部５１が設けられている。第１のコネクタ部５１は、先端部に第１のコネクタ５１１を備え、第１のコネクタ５１１から基端部側に延びる正極ケーブル５１２と負極ケーブル５１３を備えている。第１のコネクタ部５１は、正極ケーブル５１２の基端部が正極バッテリ端子１１に接続され、負極ケーブル５１３の基端部が負極バッテリ端子１２に接続されている。
【００２６】
前記収納ボックス２は、上部開口のボックス本体２１と、ボックス本体２１の上部を閉塞する蓋体２２からなる。
【００２７】
前記ボックス本体２１は、幅方向の両側面において、下方に開口した取っ手２１１が設けられている。このため、ユーザは、取っ手２１１に下方から手を差し入れることにより、ボックス本体２１を簡単かつ確実に把持することができ、ボックス本体２１を容易に持ち運ぶことが可能となる。
【００２８】
前記蓋体２２は、図１に示すように、上面の中央部に、奥行き方向に延びる凹部２２１が設けられており、凹部２２１に取っ手２２２が設けられている。このため、ユーザは、取っ手２２２を把持することにより、蓋体２２を簡単かつ確実に把持することができ、バッテリセット１００を容易に持ち運ぶことが可能となる。また、取っ手２２２は、蓋体２２の長手方向に延びるバー状の取っ手であり、両端が凹部２２１に軸支されている。このため、ユーザは、取っ手２２２を使用しないとき、取っ手２２２を横倒しすることにより取っ手２２２を凹部２２１に収納することができる。
【００２９】
前記蓋体２２は、図３に示すように、幅方向の両端部において厚み方向の内側から外側に貫通する正極通電端子２２３、負極通電端子２２４を備えている。
【００３０】
前記蓋体２２は、厚み方向の内側において、正極通電端子２２３、負極通電端子２２４に第２のコネクタ部５２が設けられている。第２のコネクタ部５２は、先端部に第２のコネクタ５２１を備え、第２のコネクタ５２１から基端部側に延びる正極ケーブル５２２と負極ケーブル５２３を備えている。第２のコネクタ部５２は、正極ケーブル５２２の基端部が正極通電端子２２３に接続され、負極ケーブル５２３の基端部が負極通電端子２２４に接続されている。
【００３１】
この蓋体２２は、第２のコネクタ５２１が、第１のコネクタ５１１に嵌合されることによりバッテリ本体１に電気的に接続される。このため、電気は、バッテリ本体１から蓋体２２の通電端子２２３、２２４へ、あるいは蓋体２２の通電端子２２３、２２４からバッテリ本体１へ流れることができる。
【００３２】
前記第２のコネクタ５２１と第１のコネクタ５１１は、正極端子同士および負極端子同士が電気的に接続する方向でのみ嵌合する形状に形成されている。このため、ユーザは、簡単かつ確実に正極端子同士および負極端子同士が接続することができる。その上、誤って正極端子と負極端子を接続する虞がなくなり、安全にバッテリセットを使用することができる。          
【００３３】
前記蓋体２２は、厚み方向の外側において、正極通電端子２２３、負極通電端子２２４に第３のコネクタ部５３が設けられる。第３のコネクタ部５３は、先端部に第３のコネクタ５３１を備え、第３のコネクタ５３１から基端部側に延びる正極ケーブル５３２と負極ケーブル５３３を備えている。
【００３４】
また、第３のコネクタ部５３は、正極ケーブル５３２の基端部に環状の環状部５３４が形成され、負極ケーブル５３３の基端部に環状の環状部５３５が形成されている。このため、ユーザは、正極通電端子２２３を環状部５３４に挿入し、負極通電端子２２４を環状部５３５に挿入することにより、正極通電端子２２３、負極通電端子２２４に第３のコネクタ部５３を簡単かつ確実に取り付けることができる。
【００３５】
また、蓋体２２は、外側において正極通電端子２２３、負極通電端子２２４にネジ溝を刻設されている。正極通電端子２２３、負極通電端子２２４は、ネジ溝に螺合する蝶ネジ２２５が取り付けられて保護されている。正極通電端子２２３、負極通電端子２２４は、蝶ネジ２２５が螺退されて取り外され、環状部５３４および環状部５３５が挿入される。そして、蝶ネジ２２５が螺進されて取り付けられることにより、環状部５３４および環状部５３５が固定的に取り付けられる。
【００３６】
前記蓋体２２は、内部にバッテリ本体１のバッテリ残量を計測する計測部２３を備えている。計測部２３は、図５に示すように、バッテリ本体１から電力を供給されて駆動し、バッテリ残量を計測するバッテリ残量計測部２３１と、バッテリ残量計測部２３１により計測されたバッテリ残量を表示するバッテリ残量表示部２３２を備えている。
【００３７】
前記バッテリ残量計測部２３１は、正極通電端子２２３と負極通電端子２２４の端子間電圧を計測することにより、バッテリ本体１のバッテリ残量を計測する。このとき、バッテリ残量計測部２３１は、バッテリ本体１の放電が進行するに従い、正極通電端子２２３と負極通電端子２２４の端子間電圧が減少することを利用して、バッテリ本体１のバッテリ残量を計測する。
【００３８】
前記バッテリ残量表示部２３２は、バッテリ残量ボタン２３３と表示窓２３４を備えている。前記バッテリ残量表示部２３２は、バッテリ残量ボタン２３３が押されると、バッテリ残量計測部２３１にバッテリ残量を計測する指令を出し、バッテリ残量計測部２３１により計測されたバッテリ残量を表示窓２３４に表示する。このため、ユーザは、バッテリ残量ボタン２３３を押し、表示窓２３４を確認することにより、バッテリ本体１のバッテリ残量を把握することができる。
【００３９】
また、前記バッテリ残量表示部２３２は、蓋体２２の通電端子２２３、２２４とバッテリ本体１が正常に接続された後にバッテリ残量ボタン２３３が押されると、表示窓２３４の全てのランプを点灯させる。このため、ユーザは、蓋体２２の通電端子２２３、２２４とバッテリ本体１を接続した後にバッテリ残量ボタン２３３を押すことにより、蓋体２２の通電端子２２３、２２４とバッテリ本体１が正常に接続されたか確認することができる。  また、前記蓋体２２は、図１に示すように、上面に初期状態に戻すためのリセットボタン２４を備えている。このため、ユーザは、リセットボタン２４を押すことにより初期状態に戻すことができる。
【００４０】
前記蓋体２２は、図１に示すように、蓋体２２の奥行方向に延びる側面において外側に開口したシガーソケット２５を備えている。このシガーソケット２５は、正極通電端子２２３および負極通電端子２２４に接続されており、シガーソケット２５に挿入されるプラグへ送電することができる。例えば、シガーソケット２５にシガーソケットＵＳＢを挿入し、シガーソケット２５を介してＵＳＢケーブルに接続された家電製品Ｅを充電することもできる。
【００４１】
前記蓋体２２は、ファスナを備えた固定ベルト２６によってボックス本体２１に固定される。固定ベルト２６は、図１に示すように、蓋体２２の上面の凹部２２１からボックス本体２１の正面、底面を経由し、ボックス本体２１の背面に亘って巻き付けられ、ファスナによりロックされる。このため、固定ベルト２６は、蓋体２２をボックス本体２１方向に押圧し、蓋体２２をボックス本体２１に安定的に固定することができる。 
【００４２】
前記インバータ３は、バッテリ本体１から放電される直流を交流に変換するインバータであって、略直方体形状をしている。インバータ３は、長手方向の一方の側面に第４のコネクタ部５４ａが設けられている。第４のコネクタ部５４ａは、先端部に第４のコネクタ５４１ａを備え、第４のコネクタ５４１ａから基端部側へ延びる正極ケーブル５４２ａと負極ケーブル５４３ａを備えている。第４のコネクタ部５４ａは、正極ケーブル５４２ａの基端部および負極ケーブル５４３ａの基端部がインバータ３に接続されている。また、前記インバータ３は、長手方向のもう一方の側面に家電製品Ｅのプラグが挿入されるコンセント３１を２個備えている。
【００４３】
このインバータ３は、図４に示すように、第４のコネクタ５４ａが蓋体２２に設けられた第３のコネクタ５３１に嵌合されることにより、蓋体２２の通電端子２２３、２２４と電気的に接続される。このため、電気は、蓋体２２の通電端子２２３からインバータ３へ流れ、インバータ３からコンセント３１を介して家電製品Ｅへ流れることができる。
【００４４】
前記充電器４は、外部電源から流入する交流を直流に変換するコンバータであって、略直方体形状をしている。充電器４は、長手方向の一方の側面に第４のコネクタ部５４ｂが設けられている。第４のコネクタ部５４ｂは、先端部に第４のコネクタ５４１ｂを備え、第４のコネクタ５４１ｂから基端部側に延びる正極ケーブル５４２ｂと負極ケーブル５４３ｂを備えている。第４のコネクタ部５４ｂは、正極ケーブル５４２ｂの基端部および負極ケーブル５４３ｂの基端部が充電器４に接続されている。また、前記充電器４は、長手方向のもう一方の側面に充電器用ＡＣケーブル６のプラグが挿入されるソケットを備えている。
【００４５】
この充電器４は、図４に示すように、第４のコネクタ５４ｂが蓋体２２に設けられた第３のコネクタ５３１に嵌合されることにより、蓋体２２の通電端子２２３、２２４と電気的に接続される。このため、電気は、外部電源から充電器用ＡＣケーブル６を介して充電器４へ流れ、充電器４から蓋体２２の通電端子２２３へ流れることができる。
【００４６】
前記第４のコネクタ５４１ａ，５４１ｂと前記第３のコネクタ５３１は、正極端子同士および負極端子同士が電気的に接続する方向でのみ嵌合する形状に形成されている。このため、ユーザは、簡単かつ確実に正極端子同士および負極端子同士が接続することができる。また、誤って正極端子と負極端子を接続する虞がなくなり、安全にバッテリセットを使用することができる。
【００４７】
次に、バッテリセット１００の使用方法について説明する。なお、バッテリ本体１には、あらかじめ第１のコネクタ部５１が設けられており、蓋体２２には、あらかじめ第２のコネクタ部５２が設けられており、インバータ３には、あらかじめ第４のコネクタ部５４ａが設けられており、充電器４には、あらかじめ第４のコネクタ部５４ｂが設けられているものとする。
（手順１：バッテリを設置する際の手順）
【００４８】
まず、収納ボックス２の蓋体２２を開け、バッテリ本体１以外のインバータ３、充電器４、第３のコネクタ部５３、充電器用ＡＣケーブル６をボックス本体２１から取り出す。
【００４９】
次に、蓋体２２に第３のコネクタ部５３を取り付ける。具体的には、蓋体２２の蝶ネジ２２５を螺退させて外し、正極通電端子２２３および負極通電端子２２４を露出させる。露出した正極通電端子２２３を第３のコネクタ部５３の環状部５３４に挿入し、露出した負極通電端子２２４を第３のコネクタ部５３の環状部５３５に挿入する。次に、蝶ネジ２２５を螺進させて正極通電端子２２３および負極通電端子２２４に取り付け、環状部５３４および環状部５３５を正極通電端子２２３および負極通電端子２２４に固定する。
【００５０】
次に、蓋体２２を裏返し、ボックス本体２１の近傍に置く。そして、第１のコネクタ部５１の第１のコネクタ５１１と蓋体２２に設けられた第２のコネクタ５２１を接続することにより、バッテリ本体１と蓋体２２を接続する。
【００５１】
次に、蓋体２２を閉め、蓋体２２の外側のバッテリ残量ボタン２３３を押す。このとき、バッテリ本体１と蓋体２２が正常に接続されていれば、表示窓２３４の全てのランプが点灯する。
（手順２：バッテリの電気を使用する際の手順）
【００５２】
まず、手順１によりバッテリ本体１が正常に接続された収納ボックス２の近傍に、インバータ３を配置する。
【００５３】
次に、インバータ３の第４のコネクタ部５４ａと第３のコネクタ部５３を接続することにより、インバータ３と蓋体２２を接続する。
【００５４】
次に、インバータ３の電源スイッチをＯＮにする。このとき、インバータ３が正常に起動すれば、ピピッという確認音が流れ、インバータ３に緑色のランプが点灯する。
【００５５】
次に、使用したい家電製品Ｅのプラグをインバータ３のコンセントに差し込んで、家電製品Ｅの電源スイッチをＯＮにする。
【００５６】
これにより、電気は、バッテリ本体１から蓋体２２の通電端子２２３へ流れ、蓋体２２の通電端子２２３からインバータ３へ流れ、インバータ３から家電製品Ｅへ流れる。    （手順３：バッテリを充電する際の手順）
【００５７】
まず、手順１によりバッテリ本体１が正常に接続された収納ボックス２の近傍に、充電器４を配置する。
【００５８】
次に、充電器４のソケットに充電器用ＡＣケーブル６のソケットを差し込み、充電器用ＡＣケーブル６のプラグを外部電源のコンセントに差し込む。
【００５９】
次に、充電器４の第４のコネクタ部５４ｂと第３のコネクタ部５３を接続することにより、充電器４と蓋体２２を接続した後、充電器４の電源スイッチをＯＮにする。
【００６０】
これにより、電気は、外部電源から充電器４に流れ、充電器４から蓋体２２の通電端子２２３へ流れ、蓋体２２の通電端子２２３からバッテリ本体１へ流れる。そして、充電器４による充電が完了すれば、充電器４に緑色のランプが点灯する。
【００６１】
なお、上記実施形態では、収納ボックス２は、蓋体２２に正極通電端子２２３および負極通電端子２２４を備えているが、ボックス本体２１に正極通電端子２２３および負極通電端子２２４を備えてもよい。
【００６２】
また、収納ボックス２は、バッテリ本体１と、インバータ３、充電器４、第１のコネクタ部５１、第２のコネクタ部５２、第３のコネクタ部５３、第４のコネクタ部５４ａ，５４ｂおよび充電器用ＡＣケーブル６を収容するとしたが、その他の部品を収容してもよい。
【００６３】
また、第１のコネクタ部５１、第２のコネクタ部５２、第３のコネクタ部５３、第４のコネクタ部５４ａ，５４ｂは、正極端子同士および負極端子同士が電気的に接続する方向でのみ嵌合する形状に形成されているとしたが、この逆方向にも嵌合する形状に形成されていてもよい。
【００６４】
また、収納ボックス２は、上部開口のボックス本体２１と、ボックス本体２１の上部を閉塞する蓋体２２からなるものとしたが、ボックス本体２１と蓋体２２が分離されず一体的に設けられるものであってもよい。
【００６５】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００６６】
１…バッテリ本体
２…収納ボックス
ボックス本体…２１
蓋体…２２
正極端子…２２３
負極端子…２２４
バッテリ残量計測部…２３１
バッテリ残量表示部…２３２
シガーソケット…２５
３…インバータ（外部装置）
４…充電器（外部装置）
５１…第１のコネクタ部
５２…第２のコネクタ部
５３…第３のコネクタ部
５４ａ，５４ｂ…第４のコネクタ部
６…充電器用ＡＣケーブル
【図１】
0003193008.tif 000003
【図２】
0003193008.tif 000004
【図３】
0003193008.tif 000005
【図４】
0003193008.tif 000006
【図５】
0003193008.tif 000007